(57)【要約】【課題】接着剤等を使用することなく、浴槽の外面に保温材を外装する場合に、簡単かつ低コストで施工できる構造の保温浴槽を実現する。【解決手段】浴槽２と保温材３と保温材固定手段４を備えた保温浴槽１において、浴槽２は側面部及び底面部を備えているとともに、側面部の上端から槽外方へ略水平に延ばされたフランジ部を備え、フランジ部の下面に保温材固定手段４が設けられ、浴槽２の側面部に壁面用保温材２３を配置してその上端を浴槽２の壁面部上端と保温材固定手段４との間に差し込んで固定し、壁面用保温材２２に下方から底面用保温材２３を嵌合し、これを浴槽２の底面部の脚部１１に設けた固定手段に取り付けた固定部材１８で支持し固定する。【選択図】図１
2015136554.tif 000002
【特許請求の範囲】
【請求項１】
浴槽と保温材と保温材固定手段を備えた保温浴槽において、 浴槽は側面部及び底面部を備え、保温材は浴槽の側面部のみ、または側面部と底面部の両方に外装されてなり、保温材固定手段に保温材を固定することで保温材が浴槽に取り付けられることを特徴とする保温浴槽。
【請求項２】
請求項１に記載の保温浴槽において、浴槽は側面部の上端から槽外方へ略水平に延ばされたフランジ部を備え、フランジ部下面に保温材固定手段が設けられていることを特徴とする保温浴槽。
【請求項３】
請求項２に記載の保温浴槽において、保温材固定手段はフランジ部から垂下した突起状に形成され、浴槽の側面部の上端と保温材固定手段との間に保温材を差し込み固定されることを特徴とする保温浴槽。
【請求項４】
請求項１から３のいずれかに記載の保温浴槽において、浴槽は底面部に脚部を備え、脚部に保温材固定手段を備えることを特徴 とする保温浴槽。
【請求項５】
請求項４に記載の保温浴槽において、保温材は脚部に対応する箇所が切り欠かれており、脚部の保温材固定手段に固定部材を嵌合させて保温材を固定することで保温材が浴槽に取り付けられることを特徴とする保温浴槽。
【請求項６】
請求項１ないし５のいずれかに記載の保温浴槽において、保温材の下面には、複数の保温材自立脚部が設けられていることを特徴とする保温浴槽。
【請求項７】
請求項１ないし６のいずれかに記載の保温浴槽において、保温材は壁面用保温材と底面用保温材からなり、壁面用保温材の下端部と底面用保温材の上端部が嵌合することで、壁面用保温材と底面用保温材が嵌合することを特徴とする保温浴槽。
【発明の詳細な説明】
【技術分野】
【０００１】
本発明は、保温浴槽に関するものである。
【背景技術】
【０００２】
従来、浴槽の外面に保温材を外装して構成する保温浴槽は公知であり、このような保温浴槽は、保温材は、浴槽の外面に、例えばコーキング等の接着剤で接着し固定させている。接着剤で保温材を浴槽に外装する具体的な構成として次のようなものがある。
【０００３】
浴槽類に接着剤で外装される浴槽類の保温材であって、寸法が小さい浴槽類の外面に当接し、この浴槽類への外装を可能にする突起が除去容易状に設けられており、外周部の接合位置に、互いに内面を面一にして重合状に接続させると共に、接合面に隙間を作る段差部が形成されており、段差部の接合面に、接着剤を入り込ませて余分な接着剤の食み出しを防止するための接着剤逃し部が形成されている構成が知られている（特許文献１参照）。
【０００４】
また、浴槽の外面に保温用の浴槽断熱材が設けられており、エプロンに相対位置する浴槽断熱材は、エプロンの内面側に設けられたエプロン断熱材と一体となっており、エプロンを取り外したときに、浴槽断熱材がエプロンに付随し、これにより、防水パンの浴槽側排水口の清掃等の作業空間が拡大され、保守、点検を容易に行うことができ構成が知られている（特許文献２参照）。
【先行技術文献】
【特許文献】
【０００５】
【特許文献１】特許第４８９３４０６号公報
【特許文献２】特開２０１３−２７４５６号公報
【発明の概要】
【発明が解決しようとする課題】
【０００６】
従来、浴槽の外面に保温材を外装する場合に、接着剤で接着する構成であると、複数の箇所に接着剤を塗布したり、接着剤が硬化するまでに両面テープを貼り付け仮固定させる必要がある等、施工上の作業効率は必ずしも良いとは言えない。そして、接着不良等で、保温材が浴槽から剥がれてしまうと、保温性自体が損なわれてしまうおそれがある。
【０００７】
また、上記特許文献２記載の構成は、エプロンに相対位置する浴槽断熱材が、エプロンの内面側に設けられたエプロン断熱材と一体化され、構造的に複雑であり、そのような一体の構造のものを製造する必要がある。
【０００８】
本発明は、上記従来の問題点を解決することを目的とし、原則として、接着剤等を使用することなく、浴槽の外面に保温材を外装する場合に、簡単かつ低コストで施工できる構造の保温浴槽を実現することを課題とする。
【課題を解決するための手段】
【０００９】
本発明は上記課題を解決するために、浴槽と保温材と保温材固定手段を備えた保温浴槽において、 浴槽は側面部及び底面部を備え、保温材は浴槽の側面部のみ、または側面部と底面部の両方に外装されてなり、保温材固定手段に保温材を固定することで保温材が浴槽に取り付けられることを特徴とする保温浴槽を提供する。
【００１０】
浴槽は側面部の上端から槽外方へ略水平に延ばされたフランジ部を備え、フランジ部下面に保温材固定手段が設けられていることが好ましい。
【００１１】
保温材固定手段はフランジ部から垂下した突起状に形成され、浴槽の側面部の上端と保温材固定手段との間に保温材を差し込み固定されることが好ましい。
【００１２】
浴槽は底面部に脚部を備え、脚部に保温材固定手段を備えることが好ましい。
【００１３】
保温材は脚部に対応する箇所が切り欠かれており、脚部の保温材固定手段に固定部材を嵌合させて保温材を固定することで保温材が浴槽に取り付けられることが好ましい。
【００１４】
保温材の下面には、複数の保温材自立脚部が設けられていることが好ましい。
【００１５】
保温材は壁面用保温材と底面用保温材からなり、壁面用保温材の下端部と底面用保温材の上端部が嵌合することで、壁面用保温材と底面用保温材が嵌合することが好ましい。
【発明の効果】
【００１６】
本発明によれば、保温材固定手段に保温材を固定することで保温材が浴槽に取り付けられて外装されるので、浴槽保温材の浴槽への固定を接着剤レス（接着剤不要）とし、製造が容易で低コストの保温浴槽を得ることができる。
【図面の簡単な説明】
【００１７】
【図１】本発明に係る保温浴槽の実施例１の浴槽を説明する図であり、（ａ）は浴槽の斜視図であり、（ｂ）は（ａ）の要部Ｂの拡大図である。
【図２】実施例１における保温材を説明する図であり、（ａ）は保温材の斜視図であり、（ｂ）は（ａ）の要部Ｂの平面図である。
【図３】実施例１における保温材を説明する図であり、（ａ）は保温材の垂直断面であり、（ｂ）は（ａ）の要部Ｂの拡大図である。
【図４】実施例１の保温浴槽を説明する図であり、（ａ）は保温浴槽を下方から見た斜視図であり、（ｂ）は正面から見た斜視図である。
【図５】実施例１の変形例を説明する図であり、（ａ）〜（ｃ）は、脚部を備えていない浴槽に保温材を取り付けてから脚部を後で取り付ける組み立て工程の概念図である。
【図６】実施例２の保温浴槽を説明する図であり、（ａ）は保温浴槽を下方から見た斜視図であり、（ｂ）は（ａ）の要部Ｂの拡大図である。
【発明を実施するための形態】
【００１８】
本発明に係る保温浴槽を実施するための形態を実施例に基づき図面を参照して、以下説明する。
【実施例】
【００１９】
（実施例１）
本発明に係る保温浴槽の実施例１及びその変形例を図１〜図５において説明する。本明細書では、保温浴槽が浴室に設置されたと仮定して、浴室の洗い場から保温浴槽を正面視した際に、手前側を前側とし、奥側を後側とし、左右を左右側とする。本発明の保温浴槽１は、図４（ａ）に示すように、浴槽２と、保温材３と、保温材固定手段４と、を備えている。
【００２０】
浴槽２は、例えば、合成樹脂材、スチール、セラミック等の材料で成形され、図１（ａ）に示すように、側面部７及び底面部８を備えている。浴槽２の側面部７は、浴槽２の周壁を構成する部分であって、長辺の前側面部及び後側面部、短辺の左側面部及び右側面部とから成る。
【００２１】
浴槽２の底面部８は、その下面の適所（本実施例１では四隅近辺）に、脚部１１を備えている。本実施例１の脚部１１は、図１（ｂ）に示すように、基部１２と、基部１２から浴槽２の中心から放射方向に向かう一対の脚１３と、一対の脚１３を結合する結合部１４とから成る。
【００２２】
なお、脚部１１は、本実施例１では、浴槽２に一体に形成された構成を示しているが、浴槽２とは別体で形成し、浴槽２の底面部８に、接着剤、ビス等の固定手段によって取り付けてもよい。或いは、浴槽２の底面部８と脚部１１にそれぞれ凹凸を形成し、互いに弾性変形し係合可能な構成として取り付けてもよい。このように脚部１１を別体で形成し、浴槽２に取り付けるタイミングは、保温材３を浴槽２に被覆する前（浴槽の製造段階も含む）でもよいし、後でもよい。
【００２３】
浴槽２は、図１（ａ）に示すように、側面部７の上端から浴槽２の外方へ略水平に延ばされたフランジ部１７を備えている。本実施例１では、保温材固定手段４の１つとして、フランジ部１７から垂下し突起状に形成された保温材保持リブ４−１が形成されている。保温材保持リブ４−１は、浴槽２のフランジ部１７において全周囲を通して形成することが望ましいが、他の部材との関係又は成形上の理由で、全周囲を通して形成することが難しい場合は、断続的に形成してもよい。
【００２４】
保温材３は、その上端部が浴槽２の側面部７の上端と保温材保持リブ４−１との間に差し込まれ、浴槽２の外側に固定される。また、保温材３の上端部を、保持保温材リブ４−１に突き刺す（食い込ませる）ようにして固定してもよい。
【００２５】
なお、フランジ部１７に保持保温材リブ４−１を設けることが難しい場合は、別の構成としてもよい。例えば、図示はしないが、浴槽２のフランジ部１７の下面における保温材３の上縁が当接する周状の部分に沿って、保温材３の上縁の外側に位置するように、矩形又は保温材３に当接する湾曲面を有する突起部を下方に向けて複数設ける構成としてもよい。また、浴槽に設けられた浴槽エプロン等その他の部材の固定手段を保温材固定手段と共用してもよい。             
【００２６】
さらに、本実施例１では、脚部１１は、図１（ｂ）に示すように、保温材固定手段４の他の１つとして、脚部１１の基部１２及び結合部１４に、それぞれ挿通孔４−２が互いに対向するように形成されている。これらの挿通孔４−２に、固定部材１８が挿通され、脚部１１に水平に取り付けられる。固定部材１８は、保温材３を下側から支持して固定し、落下しないように機能する。                    
【００２７】
なお、本実施例１では、保温材固定手段４−２及び固定部材１８は上記構成としたが、脚部１１に設ける保温材固定手段及び固定部材は、保温材３を落下しないように固定できれば、実施例１の上記構成以外の構造としてもよい。例えば、脚部１１の適所（例．脚１３）に、クリップから成る固定部材をそのクリップ機能で弾力的に取付け、この固定部材によって、保温材３を下方から支持固定するようにしてもよい。              
【００２８】
保温材３は、上記のとおり、保温材固定手段４によって浴槽２に固定されて取り付けられる。保温材３は、図２（ａ）に示すように、壁面用保温材２２と底面用保温材２３から成る。壁面用保温材２２は、浴槽２の側面部７に当接して外装可能であり、底面用保温材２３は、浴槽２の底面部８に当接して外装可能である。
【００２９】
但し、浴槽２の側面部７のみに壁面用保温材２２が外装される構成としてもよいし、浴槽２の側面部７と底面部８の両方に壁面用保温材２２と底面用保温材２３が外装される構成としてもよい。
【００３０】
保温材３の壁面用保温材２２は、図２（ａ）に示すように、前後の側壁面用保温材２４と、左右の側壁面用保温材２５とから成る。参考のために、図２（ｂ）において、壁面用保温材２２を浴槽２に外装した際の浴槽２の位置を、２点鎖線で示す。
【００３１】
前後の側壁面用保温材２４と、左右の側壁面用保温材２５は、互いに周方向に隣接する壁面用保温材が互いに組み合わされて接続されるために、図２（ａ）、（ｂ）に示すように、接続される箇所にそれぞれクランク状（鉤形状）の接合面２６が形成されている。
【００３２】
保温材３の底面用保温材２３は、図２（ａ）に示すように、浴槽２の脚部１１に対応する箇所が切り欠かれ切欠き２９が形成されており、浴槽２の底面部８に下方から被せた際に、脚部１１は、保温材３の底面用保温材２３から切り欠き２９を通して下方に突出することが可能である。         
【００３３】
前後の側壁面用保温材２４と左右の側壁面用保温材２５は、それぞれその下端部には、図３（ａ）、（ｂ）に示すように、底面用保温材２３の上端部と嵌合するようにクランク状（鉤形状）の嵌合面３０が形成されている。一方、底面用保温材２３の上端部には、壁面用保温材２２の下端部と嵌合するようにクランク状（鉤形状）の嵌合面３１が形成されている。
【００３４】
このような構成とすることで、壁面用保温材２２の下端部と底面用保温材２３の上端部が嵌合することで、図３（ａ）、（ｂ）に示すように、壁面用保温材２２と底面用保温材２３が嵌合し、浴槽２の底面部８を下方から覆うように組み立てられる構成となっている。  
【００３５】
このように保温材３の壁面用保温材２２に嵌合された底面用保温材２３は、上記したとおり、脚部１１に設けられた保温材固定手段４（挿通孔４−２）に挿通された固定部材１８によって下方から支持し固定される。
【００３６】
保温材３の底面用保温材２３の下面には、図２（ａ）、図３（ａ）に示すように、複数の保温材自立脚部３４が設けられている。この保温材自立脚部３４は、保温材３の底面用保温材２３の下面から下方に突出して形成されている。
【００３７】
保温材自立脚部３４の下方への突出長さは、保温材自立脚部３４の下面が、浴槽２の脚部１１の下面と略同じまたはそれより僅かに上方となる程度にするとよい。なお、保温材自立脚部３４は、底面用保温材２３に一体成形で形成してもよいし、別体で形成し、後で固定してもよい。
【００３８】
（作用）
上記構成から成る実施例１の保温浴槽１の施工（組立工程）、作用について説明する。保温浴槽１の組立に際しては、まず浴槽２の側面部７の周囲に、前後の側壁面用保温材２４と左右の側壁面用保温材２５を配置し、それぞれの接合面２６を組み合わせ周方向に環状に接続して、浴槽２を囲う。
【００３９】
そして、前後の側壁面用保温材２４と左右の側壁面用保温材２５から成る壁面用保温材２２の上端を、浴槽２の側面部７の上端と保温材固定手段４（保温材保持リブ４−１）との間に差し込んで、壁面用保温材２２を浴槽２に固定する。
【００４０】
このように、本発明の保温浴槽１は、浴槽２の側面部７の周囲に壁面用保温材２２のみを外装した構成でもよい。本発明の保温浴槽１は、さらに、壁面用保温材２２に加えて、次のように、底面用保温材２３を外装した構成としてもよい。
【００４１】
底面用保温材２３を外装する場合は、浴槽２の底面部８にその下方から底面用保温材２３を被せるようにして、前後の側壁面用保温材２４と左右の側壁面用保温材２５の下端部の嵌合面３０に、底面用保温材２３の上端部の嵌合面３１を嵌合させる。
【００４２】
この状態で、脚部１１に設けられた保温材固定手段４（挿通孔４−２）に、固定部材１８を挿通することによって、底面用保温材２３を下方から支持し固定する。挿通孔４−２は、浴槽２の製造段階で形成してもよいが、保温浴槽１の施工の際に、壁面用保温材２２に嵌合した底面用保温材２３の上下方向の位置等を考慮して、孔あけ作業をして形成してもよい。
【００４３】
以上のとおり、本発明の保温浴槽１は、浴槽２の側面部７を囲うように、前後の側壁面用保温材２４と左右の側壁面用保温材２５を配置し、互いに周方向に接続して成る環状の壁面用保温材２２を、その上端を、浴槽２の側面部７の上端と保温材固定手段４（保温材保持リブ４−１）との間に差し込み固定し、さらに壁面用保温材２２の下端に底面用保温材２３の上端を嵌合し、これを固定部材１８で支持固定することで、浴槽２に保温材３を取り付けて保温浴槽１を施工することができるので、接着剤等使用することなく、簡単に施工できる。
【００４４】
そして、浴槽２の脚部１１に設けた保温材固定手段４（挿通孔４−２）に固定部材１８を嵌合して取り付けるという簡単な構成によって、保温材３は下方から支持することができ、保温材３は下方に落下するようなことを防止できる。                            
【００４５】
万一、保温材固定手段４または固定部材１８に不具合が生じても、底面用保温材２３の下面には自立脚部１１が設けられているので、この自立脚部１１によって保温材３は支持され、落下することが防止できる。
【００４６】
浴槽２には保温材固定手段４として、そのフランジ部１７から垂下した突起状に形成された保温材保持リブ４−１が形成されており、この保温材保持リブ４−１と浴槽２の側面部７の上端との間に、保温材３の上端が差し込まれて拘束されるので、保温材３を構成する前後の側壁面用保温材２４と左右の側壁面用保温材２５は、互いに接着剤で接合されていなくても、外側に広がってバラバラになるようなことはない。
【００４７】
また、保温材保持リブ４−１は、浴槽２の全周囲に沿って形成されている場合は、フランジ部１７と保温材３の上端部の隙間からの熱の逃げを防止でき、断熱性を高めることができる。
【００４８】
ところで、上記施工では、脚部１１が一体に形成された浴槽２に保温材３を取り付けて組み立てた。しかし、図５で実施例１の変形例を概念図で示すが、脚部１１’が別体であり一体に設けられていない浴槽２’に、保温材３を取り付けた後で、脚部１１’を取り付けるようにしてもよい。
【００４９】
即ち、まず、保温材３を上記工程と同じ手順で取り付ける（図５（ａ）〜（ｂ）参照）。その後で、脚部１１’を浴槽２’の底面部８に、前記したとおり接着剤、ビス、凹凸係合等の固定手段によって取り付ける（図５（ｂ）〜（ｃ）参照）。その後、脚部１１’の保温材固定手段４である挿通孔４−２に固定部材１８を挿通して、保温材３を下方から支持固定する（図５（ｃ）参照）という工程としてもよい。
【００５０】
（実施例２）
本発明に係る保温浴槽の実施例２について図６において説明する。実施例２の保温浴槽４１は、実施例１の保温浴槽１と略同じであるので、異なる構成について説明する。実施例１と同じ構成の部分は同じ符号を使用する。
【００５１】
実施例２の保温浴槽４１は、実施例１の保温浴槽１と同様に、底面用保温材２３の下面に保温材自立脚部４２が設けられている（図６（ａ）参照）。しかしながら、実施例２の保温浴槽４１では、保温材自立脚部４２は、図６（ｂ）に示すように、浴槽２の複数の脚部１１のそれぞれに対して、一対の脚１３を外側から挟持し当接するように一対設けられている。
【００５２】
そして、固定部材として機能するビス４３を、保温材自立脚部４２から脚１３にねじ込んで、保温材自立脚部４２を脚部１１に固定すると、底面用保温材２３が浴槽２からずれ落ちないように取り付けられる。この実施例２の構成では、脚部１１自体が保温材固定手段として機能し、ビス４３が固定部材として機能する。
【００５３】
この実施例２の構成によると、底面用保温材２３を壁面用保温材２２に対して下方からしっかりと当接した状態で、ビス４３によって保温材自立脚部４２を脚１３に固定することができ、実施例１のように、保温材固定手段４としての挿通孔４−２の形成位置等を調整したりする必要がないので、作業は容易である。
【００５４】
以上、本発明に係る保温浴槽を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００５５】
本発明に係る保温浴槽は上記のような構成であるから、浴槽への保温材の外装に有用であるだけでなく、断熱材を外装するその他の用途の水槽等にも適用可能である。
【符号の説明】
【００５６】
１  保温浴槽                                 
２ 、２’ 浴槽
３  保温材                                   
４  保温材固定手段                           
４−１  浴槽のフランジ部の保温材保持リブ     
４−２  脚部の基部と結合部に形成された挿通孔 
７  浴槽の側面部                             
８  浴槽の底面部                             
１１、１１’  脚部                                   
１２  脚部の基部                             
１３  脚部の脚                               
１４  脚の結合部                             
１７  浴槽のフランジ部                       
１８  固定部材                               
２２  壁面用保温材                           
２３  底面用保温材                           
２４  前後の壁面用保温材                     
２５  左右の壁面用保温材                     
２６  壁面用保温材の接合面                   
２９  脚部に対応して切り欠かれた保温材の切欠き 
３０  壁面用保温材の嵌合面                   
３１  底面用保温材の嵌合面                   
３４  保温材自立脚部                         
４１  保温浴槽                               
４２  保温材自立脚部                         
４３  ビス 
【図１】
2015136554.tif 000003
【図２】
2015136554.tif 000004
【図３】
2015136554.tif 000005
【図４】
2015136554.tif 000006
【図５】
2015136554.tif 000007
【図６】
2015136554.tif 000008